(57)【特許請求の範囲】
【請求項１】
靴内に装着されて足の裏を支えるインソールであって、靴内で移動を拘束されて装着されると共に、靴内で移動を拘束されたとき表面もしくは裏面が第一中足骨種子骨と第五中足骨粗面と踵骨隆起に相当する足裏面において三点バランスを作用させ、足の裏に作用する応力をとる形状であることを特徴とする、靴用インソール。
【請求項２】
前記第一中足骨種子骨に対する接触部分となる凸部と、前記第五中足骨粗面に対する接触部分となる凸部と、前記踵骨隆起に対する接触部分となる凸部とを有することを特徴とする、請求項１に記載の靴用インソール。
【請求項３】
前記第一中足骨種子骨に対する接触部分となる凹部と、前記第五中足骨粗面に対する接触部分となる凹部と、前記踵骨隆起に対する接触部分となる凹部とを有することを特徴とする、請求項１に記載の靴用インソール。
【請求項４】
前記凸部の中央部に凹部が形成されていることを特徴とする、請求項２に記載の靴用インソール。
【発明の詳細な説明】
【技術分野】
【０００１】
本発明は、靴用インソールに関する。より詳細には、本発明は足の裏を三点で支持することで安定した重心と適度な運動を許容することができるように構成した靴用インソールに関する。
【背景技術】
【０００２】
靴用インソールは、防臭性・快適性を主目的とするものがあるが、本発明が取り扱う靴用インソールは、バランス面を追求し、正常な姿勢を維持することにより、本来の重心を整えることで運動機能を引き出すことにある。
【０００３】
足関節の歪みなどが要因となり、骨格系・筋肉系・神経系に悪影響を及ぼす可能性がある。骨格系への影響としては、土台となる足関節の歪みが、左右の骨盤の高低差を生み出し、この骨盤の高低差が背骨の側彎につながる。そして、背骨の側彎は神経障害、血行不良、内臓疾患など、全身に様々な障害をもたらす要因となる。
【０００４】
筋肉系への影響としては、足関節の歪みによって、損なわれたバランスを補うため余分な筋肉を使うようになり、リラックスした状態で立つことができなくなる。そのため、常に筋肉が緊張した状態なので、疲労物質である乳酸もたまりやすく疲れやすくなる。そのまま放置していると、筋肉も硬くなり、血行不良を引き起こし慢性的な肩こりや頭痛の原因にもなる。
【０００５】
神経系への影響としては、背骨からは全身に神経が通っているので、背骨が歪むと神経を圧迫して神経伝達に障害をきたす。さらに背骨の歪みは臓器も圧迫するために内臓疾患も引き起こす。このような不快な状態が続くとストレスが蓄積される。慢性的なストレスは交感神経と副交感神経のバランスを崩し、ホルモンの分泌に異常をきたすことになる。
【０００６】
図２は、土台である足関節の歪みによる影響を図示したものである。
【先行技術文献】
【特許文献】
【０００７】
【特許文献１】特開平９−１４０４０５号公報
【特許文献２】特開２０００−１６６６０４号公報
【発明の概要】
【発明が解決しようとする課題】
【０００８】
本発明の目的は、足の接地による骨格及び足関節運動と重点に着目し、第一中足骨種子骨と第五中足骨粗面と踵骨隆起を支点とする三点バランスを構成することで適度な運動と安定したバランスを許容することができるインソールを提供することにある。
【０００９】
特許文献１に記載されたインソールは、外反母趾の防止を目的としている。このインソールは凹部及び凸部を設けることによって足を拘束し、これにより、靴内での足の移動をなくして外反母趾を防止しようとするものである。
【００１０】
しかし、この特許文献１に記載されたインソールは、足関節の構造に着目して、特定部位を支持して適度な運動を行わせるように構成されていない。
【００１１】
特許文献２に記載されたインソールは、扁平足の矯正を目的としている。このインソールは、中間部位に円弧状の盛り上がり部材を挟むことで舟状骨及び楔状骨を上方に持ち上げ、扁平足を矯正しようとするものである。
【００１２】
しかし、この特許文献２に記載されたインソールは、特許文献１のインソールと同様に、足関節の構造に着目して特定部位を支持して適度な運動を行わせるように構成されていない。
【課題を解決するための手段】
【００１３】
本発明は、靴内に装着されて足の裏を支える靴用インソールであって、該インソールは、靴内での移動を拘束されて装着されると共に、当該インソールが靴内で移動を拘束されたとき、第一中足骨種子骨と、第５中足骨粗面と、踵骨隆起とを足の裏から支持する凸部を備えることを特徴とする。
【００１４】
本発明のインソールは、靴内の縁に適合する外縁輪郭を備えた平面輪郭形状をしており、靴に挿入されたとき一定の位置に装着可能となっている。このインソールは、立体形状として、特定の位置に凸部を備えている。凸部は、足の裏より第一中足骨種子骨と第五中足骨粗面と踵骨隆起とを支持する位置に配置されている。この三点重心の配置は、三脚などとして、最も安定する支点の在り方となるため、大変好ましい。本発明によれば、土台である足関節の歪みによる連動的障害を除去することができる。
【発明の効果】
【００１５】
本発明によれば、足の裏を三点で支持することで安定した重心と適度な運動を許容することができるように構成した靴用インソールを提供することができる。
特に、足裏を適切な部位で支持して三点バランスを取ることにより、重心を安定させ正常な姿勢を維持しつつ、運動機能を向上させることが可能になる。また、本発明のインソールは、土台である足関節の歪みによる連動的障害を除去することができる。
【図面の簡単な説明】
【００１６】
【図１】右足の裏の骨格を示す平面図である。
【図２】足関節の歪みによる影響を示した模型図である。
【図３】右インソールの凸部と右足の裏の骨格位置を比較した裏面図である。
【図４】右インソールの側面及び立体形状を示す横断面図である。
【図５】右インソールと右足の骨格位置を重ねた平面図である。
【図６】右インソールの平面図である。
【図７】右インソールの側面図である。
【図８】図７のＨ−Ｈ線に沿った断面図である。
【発明を実施するための形態】
【００１７】
以下、図面を参照して本発明に係るインソールの実施形態について説明する。
図１、図３は、右足の裏の骨格及び右足のインソールを示しているが、左足の裏の骨格及び左足のインソールは鏡像対象となる。
【００１８】
本発明の靴用インソールは、立位姿勢の改善や重心の調芯による運動機能性の向上を目的としており、日常的に使用する靴だけではなく、スポ―ツなどの機能性を追求する運動用の靴に好適である。
【００１９】
本発明のインソールの実施形態について、その構成や機能、作用を説明する上で、まず足の骨格構造について説明する。図１は、足の裏の骨格構造を示す平面図である。この図面は下方から見た図面である。
【００２０】
図３は、三点バランスにより重心を安定させる特徴部分を有する靴用インソール１０を示している。このインソール１０は、第一中足骨種子骨１１に対し第一中足骨種子骨接触部分（凸部）２１が、第五中足骨粗面１２に対して第五中足骨粗面接触部分（凸部）２２が、踵骨隆起１３に対して踵骨隆起接触部分（凸部）２３がそれぞれ対応接触するようになっている。
【００２１】
インソール１０は、足が接する側の表面素材層３１、中間のベース部材層３２、及び、靴に接する側のポスティング部材層３３の３層よりなる積層構造である。インソールを使用する者の足の形状には個人差があり、一定でないので、ポスティング部材層３３の各部位の厚みを変更することで各部位の厚みに差をつけることができるようになっている。
【００２２】
一般的な足形に対応させて数種類のインソール１０を予め準備することで汎用性をもたせることもできる。なお、平坦なインソールを予め用意して別体の凸状部材をインソール表面に着脱自在に装着したり、また、複数層のインソールの中間層に凸状部材を装着したりして、表面素材に凸凹が形成されるようにすることもある。
【００２３】
図３及び図４に詳細に示されるように、インソール１０自体を変形しやすくすることで運動を許容するとともに、特定部位に凸部２１、２２、２３が形成される凸凹構成に特徴がある。特定部位の凸部２１、２２、２３は、別体の凸状部材により形成される場合もある。
【００２４】
本発明では、靴内に装着されて足の裏を支えるインソールであって、該インソールは、靴内で移動を拘束されて装着されると共に、靴内で移動を拘束されたとき、該インソールの表面もしくは裏面が三点バランスをとる凸部２１、２２、２３を備えている。そして、当該凸部で三点支持して重心を安定させることができる。なお、凸部２１、２２、２３に代えて、それぞれの凸部に対応する凹部とすることもできる。このようにしても、凸部と同様の機能を発揮させることができる。
【００２５】
本発明では、靴内に装着されて足の裏を支えるインソールであって、該インソールは、靴内で移動を拘束されて装着されると共に、前記インソールは、靴内で移動を拘束されたとき、表面もしくは裏面が第一中足骨種子骨と第五中足骨粗面と踵骨隆起に相当する足裏面において三点バランスを作用させ、足の裏に作用する応力をとる形状とすることができる。
【００２６】
ここで、前記インソール１０は、前記凸部の裏面側において装着される靴に接する平面部分を備えており、前記凸部が変形を許容するようになっている。なお、この場合もそれぞれの凸部に代えて凹部とすることができる。
【００２７】
なお、図６、図７、図８に示すように、凸部２１、２２、２３の中央部に円形の凹部２１ａ、２２ａ、２３ａを形成しても良い。このようにすれば、凹部の大きさや形状を変えることで、凸部の足裏への接触面積や形状、弾力性や硬さなどを任意に調整することができる。
【００２８】
以上詳述したように、本発明のインソールは、足裏を適切な部位で支持して三点バランスを取ることにより、重心を安定させ正常な姿勢を維持しつつ、運動機能を向上させることが可能になる。特に、本発明のインソールは、土台である足関節の歪みによる連動的障害を除去することができる。
【００２９】
なお、以上の実施形態では、特定の構成を例示して発明内容を説明したが、部分的な改変等ができることはいうまでもない。
【符号の説明】
【００３０】
１０  インソール
１１  第一中足骨種子骨
１２  第五中足骨粗面
１３  踵骨隆起
２１  第一中足骨種子骨接触部分（凸部）
２２  第五中足骨粗面接触部分（凸部）
２３  踵骨隆起接触部分（凸部）
２１ａ、２２ａ、２３ａ  凹部
【図１】
0005307286.tif 000002
【図２】
0005307286.tif 000003
【図３】
0005307286.tif 000004
【図４】
0005307286.tif 000005
【図５】
0005307286.tif 000006
【図６】
0005307286.tif 000007
【図７】
0005307286.tif 000008
【図８】
0005307286.tif 000009